(57)【要約】【課題】電圧制御水晶発振器の使用を回避することにより、コストの削減及び消費電力の低減を図ることができるとともに、視聴者が違和感を感じることなく送信局と受信局との映像・音声信号の同期をとることが可能な、局間補正装置を得る。【解決手段】比較器６は、カウンタ値Ｋ１，Ｋ３の差Ｙ３が許容値Ｍを超えたことを検出すると、補正実行命令Ｓ４，Ｓ５を出力する。補正実行命令Ｓ４は補正部２に入力され、補正部２は、デコード部１から出力されたデータＤ２に対してリニアスケーリング補正を行って、補正後のデータＤ３を出力する。また、補正実行命令Ｓ５は自走ＰＣＲカウンタ５に入力され、自走ＰＣＲカウンタ５は、補正部２によるリニアスケーリング補正の補正量に応じて、カウンタ値Ｋ３を補正する。【選択図】図１
2007060202.tif 000002
【特許請求の範囲】
【請求項１】
送信局から受信したデータに含まれる時刻情報に基づいてカウント動作を行う第１のカウンタと、
受信局の所定のクロックに基づいてカウント動作を行う第２のカウンタと、
前記第１のカウンタによる第１のカウンタ値と、前記第２のカウンタによる第２のカウンタ値とを比較する比較部と、
前記比較部による比較の結果に基づいて、前記データに対してリニアスケーリング補正を行う補正部と
を備える、局間補正装置。
【請求項２】
前記クロックは、前記データのサンプリング周波数と同一周波数のクロックである、請求項１に記載の局間補正装置。
【請求項３】
前記補正部は、前記第１のカウンタ値と前記第２のカウンタ値との差が所定の許容値を超えた場合に、前記リニアスケーリング補正を行う、請求項１又は２に記載の局間補正装置。
【請求項４】
前記第２のカウンタは、前記リニアスケーリング補正の補正量に応じて、前記第２のカウンタ値を増減補正する、請求項３に記載の局間補正装置。
【発明の詳細な説明】
【技術分野】
【０００１】
本発明は、送信局のクロックと受信局のクロックとの差を補正する局間補正装置に関する。
【背景技術】
【０００２】
従来の局間補正装置は、送信局のクロックに対応したクロックを発生する電圧制御水晶発振器を備え、送信局から受信したトランスポートストリーム（ＴＳ）内に含まれるＰＣＲ値と、自走ＰＣＲカウンタのカウンタ値との差がゼロとなるように、電圧制御水晶発振器の発振周波数をＰＷＭ制御することによって、受信局のクロックを送信局のクロックに同期させている。
【０００３】
また、送信局と受信局との映像・音声信号の同期に関しては、受信局のクロックが送信局のクロックよりも速い場合には、あるフレーム又はあるサンプルポイントの映像・音声信号を、次のフレーム又は次のサンプルポイントの映像・音声信号としてコピーして利用することによって、不足分を補充している。逆に、受信局のクロックが送信局のクロックよりも遅い場合には、あるフレーム又はあるサンプルポイントの映像・音声信号を削除することによって、過剰分を削除している。
【０００４】
なお、送信局と受信局とのクロック又は映像・音声信号の同期に関する技術は、例えば下記特許文献１〜４に開示されている。
【０００５】
【特許文献１】特開２００４−３２０３４８号公報
【特許文献２】特開２０００−２０９１８２号公報
【特許文献３】特開２０００−１８８５８４号公報
【特許文献４】特開平１０−７５２６２号公報
【発明の開示】
【発明が解決しようとする課題】
【０００６】
しかしながら、上記した従来の局間補正装置によると、電圧制御水晶発振器を使用することにより、コストの上昇及び消費電力の増大を招くという問題がある。
【０００７】
また、あるフレーム又はあるサンプルポイントの映像・音声信号をコピー又は削除することによって、送信局と受信局との映像・音声信号の同期がとられているため、特に音声に関しては視聴者が違和感を感じやすいという問題もある。
【０００８】
本発明はかかる問題を解決するために成されたものであり、電圧制御水晶発振器の使用を回避することにより、コストの削減及び消費電力の低減を図ることができるとともに、視聴者が違和感を感じることなく送信局と受信局との映像・音声信号の同期をとることが可能な、局間補正装置を得ることを目的とする。
【課題を解決するための手段】
【０００９】
第１の発明に係る局間補正装置は、送信局から受信したデータに含まれる時刻情報に基づいてカウント動作を行う第１のカウンタと、受信局の所定のクロックに基づいてカウント動作を行う第２のカウンタと、前記第１のカウンタによる第１のカウンタ値と、前記第２のカウンタによる第２のカウンタ値とを比較する比較部と、前記比較部による比較の結果に基づいて、前記データに対してリニアスケーリング補正を行う補正部とを備えることを特徴とする。
【００１０】
第２の発明に係る局間補正装置は、第１の発明に係る局間補正装置において特に、前記クロックは、前記データのサンプリング周波数と同一周波数のクロックであることを特徴とする。
【００１１】
第３の発明に係る局間補正装置は、第１又は第２の局間補正装置において特に、前記補正部は、前記第１のカウンタ値と前記第２のカウンタ値との差が所定の許容値を超えた場合に、前記リニアスケーリング補正を行うことを特徴とする。
【００１２】
第４の発明に係る局間補正装置は、第３の発明に係る局間補正装置において特に、前記第２のカウンタは、前記リニアスケーリング補正の補正量に応じて、前記第２のカウンタ値を増減補正することを特徴とする。
【発明の効果】
【００１３】
第１の発明に係る局間補正装置によれば、補正部は、比較部による比較の結果に基づいて、送信局から受信したデータに対してリニアスケーリング補正を行う。従って、あるフレーム又はあるサンプルポイントの映像・音声信号をコピー又は削除することによって同期をとる場合と比較すると、視聴者が感じる違和感を軽減又は回避することができる。
【００１４】
第２の発明に係る局間補正装置によれば、第２のカウンタは、サンプリング周波数と同一周波数のクロックを用いてカウント動作を行う。従って、送信局のクロックに対応したクロックを発生する電圧制御水晶発振器を用いる必要がないため、かかる発振器を用いる場合と比較すると、コストの削減及び消費電力の低減を図ることができる。
【００１５】
第３の発明に係る局間補正装置によれば、補正部は、第１のカウンタ値と第２のカウンタ値との差が所定の許容値を超えた場合に、リニアスケーリング補正を行う。つまり、リニアスケーリング補正の実行に際して一定の遊びを持たせることができ、これにより、ジッタの微小変動を吸収することができる。
【００１６】
第４の発明に係る局間補正装置によれば、リニアスケーリング補正の補正量に応じて第２のカウンタ値を増減補正することにより、リニアスケーリング補正が行われた後は、第２のカウンタ値が第１のカウンタ値に近付く。そのため、第１のカウンタ値と第２のカウンタ値との差が大きくなり続けることはなく、次回のリニアスケーリング補正の要否判定に備えることができる。
【発明を実施するための最良の形態】
【００１７】
図１は、本発明の実施の形態に係る局間補正装置の構成を示すブロック図であり、例えば、地上波デジタル放送受信機に用いられるデコーダの構成に相当する。図１に示すように本実施の形態に係る局間補正装置は、デコード部１、補正部２、ＴＳ−ＰＣＲ検出部３、ＴＳ−ＰＣＲカウンタ４、自走ＰＣＲカウンタ５、比較器６、及び発振器７を備えている。
【００１８】
デコード部１の出力は補正部２に接続されており、ＴＳ−ＰＣＲ検出部３の出力はＴＳ−ＰＣＲカウンタ４に接続されており、ＴＳ−ＰＣＲカウンタ４及び自走ＰＣＲカウンタ５の各出力は比較器６に接続されており、比較器６の出力は補正部２に接続されており、発振器７の出力はＴＳ−ＰＣＲカウンタ４及び自走ＰＣＲカウンタ５にそれぞれ接続されている。
【００１９】
図示しない送信局からは、映像・音声信号であるＭＰＥＧ−２規格のＴＳパケットデータＤ１が送信されている。ＴＳパケットデータＤ１内には、送信局の時刻情報であるＰＣＲ（Program Clock Reference）を含むＴＳパケットが、定期的に含まれている。後述するように、受信局では、このＰＣＲを用いて、送信局における２７ＭＨｚのクロックとの同期がとられる。
【００２０】
ＴＳパケットデータＤ１は、デコード部１及びＴＳ−ＰＣＲ検出部３にそれぞれ入力される。デコード部１は、入力されたＴＳパケットデータＤ１をデコードして、映像・音声信号のデータＤ２として出力する。ＴＳ−ＰＣＲ検出部３は、ＰＣＲを含むＴＳパケットデータＤ１を検出すると、そのＰＣＲ値に関するデータＳ１をＴＳ−ＰＣＲカウンタ４に入力する。
【００２１】
発振器（又は逓倍器）７からは、ＴＳパケットデータＤ１の音声サンプリング周波数と同一の周波数（本実施の形態では４４．１ｋＨｚとする）のクロックＣ１が出力される。クロックＣ１は、ＴＳ−ＰＣＲカウンタ４及び自走ＰＣＲカウンタ５にそれぞれ入力される。発振器７としては、電圧制御水晶発振器を使用する必要はなく、発振周波数が固定の汎用の発振器を使用することができる。
【００２２】
図２は、ＴＳ−ＰＣＲカウンタ４及び自走ＰＣＲカウンタ５によるカウント動作を示す図である。破線で示すカウンタ値Ｋ１はＴＳ−ＰＣＲカウンタ４に対応し、実線で示すカウンタ値Ｋ２は自走ＰＣＲカウンタ５に対応する。時刻ｔ０，ｔ１，ｔ２，・・・の各時間間隔は、４４．１ｋＨｚに相当する時間である。また、時刻ｔ２，ｔ４，ｔ６において、ＴＳ−ＰＣＲ検出部３によってＰＣＲが検出され、そのＰＣＲ値がＴＳ−ＰＣＲカウンタ４に入力されるものとする。
【００２３】
時刻ｔ１において、ＴＳ−ＰＣＲカウンタ４及び自走ＰＣＲカウンタ５は、各々のカウンタ値Ｋ１，Ｋ２を「６１２」（≒２７ＭＨｚ／４４．１ｋＨｚ）だけインクリメントする。
【００２４】
時刻ｔ２において、自走ＰＣＲカウンタ５は、同様にカウンタ値Ｋ２を「６１２」だけインクリメントする。一方、時刻ｔ２において、ＴＳ−ＰＣＲ検出部３によって検出されたＰＣＲ値がＴＳ−ＰＣＲカウンタ４に入力され、ＴＳ−ＰＣＲカウンタ４のカウンタ値Ｋ１は、そのＰＣＲ値に設定される。これにより、カウンタ値Ｋ１とカウンタ値Ｋ２との間に、差Ｙ１が生じる。
【００２５】
図１を参照して、カウンタ値Ｋ１に関するデータＳ２、及び、カウンタ値Ｋ２に関するデータＳ３は、比較器６に入力されている。比較器６は、カウンタ値Ｋ１，Ｋ２を比較し、両者の差が、予め設定された所定の許容値Ｍを超えているか否かを判定する。ここでは、図２に示した差Ｙ１は許容値Ｍ以下であるものとする。この場合、デコード部１から出力されたデータＤ２は、補正部２によって何ら補正されることなく、データＤ３として出力される。
【００２６】
時刻ｔ３において、ＴＳ−ＰＣＲカウンタ４及び自走ＰＣＲカウンタ５は、同様に各々のカウンタ値Ｋ１，Ｋ２を「６１２」だけインクリメントする。カウンタ値Ｋ１，Ｋ２の差はＹ１のままである。
【００２７】
時刻ｔ４において、自走ＰＣＲカウンタ５は、同様にカウンタ値Ｋ２を「６１２」だけインクリメントする。一方、時刻ｔ４において、ＴＳ−ＰＣＲ検出部３によって検出されたＰＣＲ値がＴＳ−ＰＣＲカウンタ４に入力され、カウンタ値Ｋ１はそのＰＣＲ値に設定される。これにより、カウンタ値Ｋ１，Ｋ２の差が大きくなり、その差はＹ２となる。但し、差Ｙ２は許容値Ｍ以下であるものとする。
【００２８】
時刻ｔ５において、ＴＳ−ＰＣＲカウンタ４及び自走ＰＣＲカウンタ５は、同様に各々のカウンタ値Ｋ１，Ｋ２を「６１２」だけインクリメントする。カウンタ値Ｋ１，Ｋ２の差はＹ２のままである。
【００２９】
時刻ｔ６において、ＴＳ−ＰＣＲ検出部３によって検出されたＰＣＲ値がＴＳ−ＰＣＲカウンタ４に入力され、カウンタ値Ｋ１はそのＰＣＲ値に設定される。ここで、仮に、カウンタ値Ｋ２が「６１２」だけインクリメントされて、一点鎖線で示すカウンタ値Ｋ３になったとすると、カウンタ値Ｋ１，Ｋ３の差は大きくなり、その差はＹ３となる。ここでは、差Ｙ３は許容値Ｍを超えているものとする。
【００３０】
図１を参照して、比較器６は、カウンタ値Ｋ１，Ｋ３の差Ｙ３が許容値Ｍを超えたことを検出すると、補正実行命令Ｓ４，Ｓ５を出力する。補正実行命令Ｓ４は補正部２に入力され、補正部２は、デコード部１から出力されたデータＤ２に対してリニアスケーリング補正を行って、補正後のデータＤ３を出力する。リニアスケーリング補正の詳細については後述する。
【００３１】
また、補正実行命令Ｓ５は自走ＰＣＲカウンタ５に入力され、自走ＰＣＲカウンタ５は、補正部２によるリニアスケーリング補正の補正量に応じて、カウンタ値Ｋ３を補正する。例えば、リニアスケーリング補正によって１サンプルポイントが削除された場合には、１サンプルポイントに相当する「６１２」だけ、カウンタ値Ｋ３を増加補正する。その結果、図２に示すように、時刻ｔ６においては、カウンタ値Ｋ２が「１２２４」（＝６１２＋６１２）だけインクリメントされる。従って、カウンタ値Ｋ１，Ｋ２の差はＹ３よりも小さくなり、その差は、許容値Ｍ以下のＹ４となる。
【００３２】
時刻ｔ７において、ＴＳ−ＰＣＲカウンタ４及び自走ＰＣＲカウンタ５は、同様に各々のカウンタ値Ｋ１，Ｋ２を「６１２」だけインクリメントする。カウンタ値Ｋ１，Ｋ２の差はＹ４のままである。以降は、上記と同様の動作が繰り返される。
【００３３】
図３，４は、補正部２によるリニアスケーリング補正の概要を示す図である。図３は、受信局のクロックが送信局のクロックよりも速い場合（つまり、受信局の映像・音声信号が送信局の映像・音声信号に対して不足する場合）の補正例を示しており、逆に図４は、受信局のクロックが送信局のクロックよりも遅い場合（つまり、受信局の映像・音声信号が送信局の映像・音声信号に対して過剰な場合）の補正例を示している。
【００３４】
図３には、データＤ２における４サンプルポイントの音声データＡ１０〜Ａ１３が、データＤ３において５サンプルポイントの音声データＢ１０〜Ｂ１４に増加補正される例が示されている。例えば音声データＢ１２の値は、音声データＡ１１，Ａ１２の各値と、距離ｘ１，ｘ２とを用いて、以下の式（１）として与えられる。
【００３５】
【数１】
2007060202.tif 000003
【００３６】
ここで、実際には、上記の許容値Ｍを適切に設定することにより、１フレーム内の１０２４サンプルポイントが１０２５サンプルポイントに増加される程度の補正が行われることとなる。
【００３７】
図４には、データＤ２における５サンプルポイントの音声データＡ２０〜Ａ２４が、データＤ３において４サンプルポイントの音声データＢ２０〜Ｂ２３に削減補正される例が示されている。例えば音声データＢ２１の値は、音声データＡ２１，Ａ２２の各値と、距離ｘ３，ｘ４とを用いて、以下の式（２）として与えられる。
【００３８】
【数２】
2007060202.tif 000004
【００３９】
ここで、実際には、上記の許容値Ｍを適切に設定することにより、１フレーム内の１０２４サンプルポイントが１０２３サンプルポイントに削減される程度の補正が行われることとなる。
【００４０】
なお、図２に示した例では、例えば時刻ｔ１，ｔ３において、カウンタ値Ｋ１，Ｋ２をそれぞれ「６１２」だけインクリメントした。しかし、実際には２７ＭＨｚ／４４．１ｋＨｚ＝612.24489795・・・であるため、「６１２」のインクリメントでは小数点以下の部分が無視されている。従って、たとえリニアスケーリング補正に伴って自走ＰＣＲカウンタ５のカウンタ値Ｋ２を補正したとしても、長期的に見ると、無視された小数点以下の影響によってカウンタ値Ｋ１，Ｋ２のずれが次第に大きくなる。そこで、図５に示すように、「６１２」のインクリメントを行う期間（Ｔ０〜Ｔ１，Ｔ２〜Ｔ３，Ｔ４〜Ｔ５）と、「６１３」のインクリメントを行う期間（Ｔ１〜Ｔ２，Ｔ３〜Ｔ４，Ｔ５〜Ｔ６）とを交互に繰り返すことによって、カウンタ値Ｋ１，Ｋ２の長期的なずれを補正することも可能である。
【００４１】
このように本実施の形態に係る局間補正装置によれば、補正部２は、比較器６による比較の結果に基づいて、送信局から受信したデータＤ２に対してリニアスケーリング補正を行う。従って、従来の局間補正装置のように、あるフレーム又はあるサンプルポイントの映像・音声信号をコピー又は削除することによって同期をとる場合と比較すると、視聴者が感じる違和感を軽減又は回避することができる。
【００４２】
また、自走ＰＣＲカウンタ５及びＴＳ−ＰＣＲカウンタ４は、音声サンプリング周波数と同一周波数のクロックＣ１を基準クロックとして用いて、カウント動作を行う。従って、送信局における２７ＭＨｚのクロックに対応したクロックを発生する電圧制御水晶発振器を用いる必要がないため、かかる発振器を用いる従来の局間補正装置と比較すると、コストの削減及び消費電力の低減を図ることができる。
【００４３】
さらに、補正部２は、カウンタ値Ｋ１，Ｋ２の差が所定の許容値Ｍを超えた場合に、リニアスケーリング補正を行う。つまり、リニアスケーリング補正の実行に際して一定の遊びを持たせている。これにより、ジッタの微小変動を吸収することができる。
【００４４】
また、リニアスケーリング補正の補正量に応じて、自走ＰＣＲカウンタ５のカウンタ値Ｋ２が増減補正される。これにより、図２の時刻ｔ６に示したように、リニアスケーリング補正が行われた後は、カウンタ値Ｋ２がカウンタ値Ｋ１に近付く。そのため、カウンタ値Ｋ１，Ｋ２の差が大きくなり続けることはなく、次回のリニアスケーリング補正の要否判定に備えることができる。
【図面の簡単な説明】
【００４５】
【図１】本発明の実施の形態に係る局間補正装置の構成を示すブロック図である。
【図２】ＴＳ−ＰＣＲカウンタ及び自走ＰＣＲカウンタによるカウント動作を示す図である。
【図３】補正部によるリニアスケーリング補正の概要を示す図である。
【図４】補正部によるリニアスケーリング補正の概要を示す図である。
【図５】カウンタ値Ｋ１，Ｋ２の長期的なずれを補正する方法を示す図である。
【符号の説明】
【００４６】
１  デコード部
２  補正部
３  ＴＳ−ＰＣＲ検出部
４  ＴＳ−ＰＣＲカウンタ
５  自走ＰＣＲカウンタ
６  比較器
７  発振器
【図１】
2007060202.tif 000005
【図２】
2007060202.tif 000006
【図３】
2007060202.tif 000007
【図４】
2007060202.tif 000008
【図５】
2007060202.tif 000009